(57)【要約】【課題】実際に描画される線の太さをより直感的に確認しながら、線の太さを設定できるようにする。【解決手段】ペン入力により指定された座標のストロークに合わせて描画領域６０に線を描画するものにおいて、設定領域７０で設定中の線の太さ（ポイント数）に応じた大きさの円形画像を描画領域６０に表示し、設定が完了すると、円形画像をフェードアウトさせる。これにより、ユーザーは、描画領域６０に表示されている円形画像を確認することで、描画領域６０に描画される線の太さを直感的に把握しながら、線の太さの設定を行なうことができる。【選択図】図４
2013246750.tif 000002
【特許請求の範囲】
【請求項１】
表示画面を有し、該表示画面の設定エリアを介して描画する線に関する設定を入力すると共に該表示画面の描画エリア内における任意の位置の指定を入力し、前記入力された線に関する設定を用いて前記入力された位置の軌跡を線として前記描画エリアに描画する手書き入力装置であって、
前記設定エリアを介して前記描画エリアに描画される線の太さを設定する線太さ設定手段と、
前記線太さ設定手段により設定中の線の太さに対応する大きさの確認画像を一時的に前記描画エリアに表示する設定確認表示手段と、
を備えることを特徴とする手書き入力装置。
【請求項２】
請求項１記載の手書き入力装置であって、
前記設定確認表示手段は、前記描画する線の太さの設定が完了した後に前記確認画像を消去する手段である
ことを特徴とする手書き入力装置。
【請求項３】
請求項２記載の手書き入力装置であって、
前記設定確認表示手段は、透明度を徐々に高くすることにより前記確認画像を消去する手段である
ことを特徴とする手書き入力装置。
【請求項４】
請求項１ないし３いずれか１項に記載の手書き入力装置であって、
前記設定エリアを介して前記描画エリアに描画される線の色を設定する線色設定手段を備え、
前記設定確認表示手段は、前記設定された線の色と略同一色の前記確認画像を前記描画エリアに表示する手段である
ことを特徴とする手書き入力装置。
【発明の詳細な説明】
【技術分野】
【０００１】
本発明は、表示画面を有し、該表示画面の設定エリアを介して描画する線に関する設定を入力すると共に該表示画面の描画エリア内における任意の位置の指定を入力し、前記入力された線に関する設定を用いて前記入力された位置の軌跡を線として前記描画エリアに描画する手書き入力装置に関する。
【背景技術】
【０００２】
従来、この種の手書き入力装置としては、ペン用設定画面にペンサイズ（線の太さ）を設定するためのペンサイズウインドウが配置されたものが提案されている（例えば、特許文献１参照）。この装置では、ペンサイズウインドウの上部に０．１ｍｍ刻みの目盛りが付されており、ペンサイズウインドウ内のマウスカーソルを認識し、カーソルの先端位置に縦のグリッド線を表示させる。そして、マウスがクリックされると、マウスカーソルの先端位置の線の太さに対応する大きさの円の図形を表示させ、マウスのクリックが解除されると、その大きさで線の太さを確定している。ユーザーは、線の太さに対応する円の図形の大きさを確認しながら、線の太さを変更することができるとしている。
【先行技術文献】
【特許文献】
【０００３】
【特許文献１】特開２００２−３２９２１２号公報
【発明の概要】
【発明が解決しようとする課題】
【０００４】
しかしながら、上述した装置では、線の太さに対応する円の図形はペンサイズウインドウに表示され、実際のペン入力はペンサイズウインドウとは異なる場所に配置されたキャンバス上で行なわれる。このため、ユーザーによってはキャンバス上に描画される線の太さを十分にイメージできない場合が考えられ、なお改良の余地がある。
【０００５】
本発明の手書き入力装置は、実際に描画される線の太さをより直感的に確認しながら、線の太さを設定できるようにすることを主目的とする。
【０００６】
本発明の手書き入力装置は、上述の主目的を達成するために以下の手段を採った。
【課題を解決するための手段】
【０００７】
本発明の手書き入力装置は、
表示画面を有し、該表示画面の設定エリアを介して描画する線に関する設定を入力すると共に該表示画面の描画エリア内における任意の位置の指定を入力し、前記入力された線に関する設定を用いて前記入力された位置の軌跡を線として前記描画エリアに描画する手書き入力装置であって、
前記設定エリアを介して前記描画エリアに描画される線の太さを設定する線太さ設定手段と、
前記線太さ設定手段により設定中の線の太さに対応する大きさの確認画像を一時的に前記描画エリアに表示する設定確認表示手段と、
を備えることを要旨とする。
【０００８】
この本発明の手書き入力装置では、表示画面の設定エリアを介して描画エリアに描画される線の太さを設定し、設定中の線の太さに対応する大きさの確認画像を一時的に描画エリアに表示する。即ち、実際に線が描画される描画エリアに、線の太さに対応する大きさの確認画像を表示するから、線の太さをより直感的に確認しながら、線の太さを設定することができる。
【０００９】
こうした本発明の手書き入力装置において、前記設定確認表示手段は、前記描画する線の太さの設定が完了した後に前記確認画像を消去する手段であるものとすることもできる。この態様の本発明の手書き入力装置において、前記設定確認表示手段は、透明度を徐々に高くすることにより前記確認画像を消去する手段であるものとすることもできる。
【００１０】
また、本発明の手書き入力装置において、前記設定エリアを介して前記描画エリアに描画される線の色を設定する線色設定手段を備え、前記設定確認表示手段は、前記設定された線の色と略同一色の前記確認画像を前記描画エリアに表示する手段であるものとすることもできる。こうすれば、線の太さの確認に合わせて線の色も確認することができる。
【図面の簡単な説明】
【００１１】
【図１】本実施形態の手書き入力装置２０の概略構成図。
【図２】落書き入力画面の一例を示す説明図。
【図３】線太さ設定処理の一例を示すフローチャート。
【図４】線の太さを設定する様子を示す説明図。
【図５】線の太さを設定する様子を示す説明図。
【図６】円形画像が消去される様子を示す説明図。
【発明を実施するための形態】
【００１２】
次に、本発明の実施の形態を図面に基づいて説明する。図１は、本発明の一実施形態である手書き入力装置２０の構成の概略を示す構成図である。
【００１３】
本実施形態の手書き入力装置２０は、各種メニュー画面や作成中の文章などを表示するためのＬＣＤモジュール４０とペンＰによる手書き文字や手書き絵などを入力するためのタッチパネルモジュール４２とが組み合わされたタッチパネル式の液晶ディスプレイとして構成されている。なお、手書き入力装置２０のサイド部には、手書き入力装置２０を起動するための電源ボタン２２と、メモリーカードＭＣの挿入が可能なメモリーカードスロット４４とが設けられている。
【００１４】
タッチパネルモジュール４２は、タッチスクリーン上でペンＰが接触された点の座標を入力する座標入力装置であり、本実施形態では、２点以上の接触を検知する多点検知が可能な投影型静電容量方式を採用している。勿論、タッチパネルモジュール４２の方式は、静電容量方式に限られず、抵抗膜方式や電磁誘導方式など種々の方式を採用し得る。なお、以下は、ペンＰを用いて手書き入力する場合を説明するが、人の指先で手書き入力する態様など、手書き入力することが可能なあらゆる態様が含まれる。
【００１５】
手書き入力装置２０は、制御ブロックとしては、図１に示すように、装置全体の制御を司るメインコントローラー３０と、ＬＣＤモジュール４０の表示制御を司るＬＣＤコントローラー４１と、タッチパネルモジュール４２の入力制御を司るタッチパネルコントローラー４３と、メモリーカードＭＣに対してデータの読み出しと書き込みとを制御するメモリーカードコントローラー４５とを備えており、これらはバス４８を介して互いに電気的に接続されている。
【００１６】
メインコントローラー３０は、ＣＰＵ３１を中心とするマイクロプロセッサーとして構成されており、各種処理プログラムを記憶するＲＯＭ３２と、データを一時的に保存するＲＡＭ３３と、電源を切ってもデータを保存する不揮発性メモリーとしてのフラッシュメモリー３４と、電源ボタン２２からの起動信号を入力するインターフェース３５（Ｉ／Ｆ）とを備える。このメインコントローラー３０は、タッチパネルコントローラー４３からの座標信号などを入力しており、ＬＣＤコントローラー４１への制御信号などを出力している。また、メインコントローラー３０は、メモリーカードＭＣに対してメモリーカードコントローラー４５を介してファイルの読み出しや書き込みも行なっている。
【００１７】
次に、こうして構成された本実施形態の手書き入力装置２０の動作について説明する。図２は、落書き入力用画面５０の一例を示す説明図である。落書き入力用画面５０は、図示しないメニュー画面から作成中の文章にペンＰによる落書きが可能な落書き入力モードが選択されたときに呼び出されるものであり、作成中の文章のタイトルや現在時刻、内蔵するバッテリの残容量などを表示するタイトル表示領域５１と、ペン入力ストロークに沿って線を描画する描画領域６０と、ペン入力のための各種設定を行なうための設定領域７０とが表示される。
【００１８】
描画領域６０の左上には、表示中の文章や図形を拡大させる拡大ボタン枠６２と、表示中の文章や図形を縮小させる縮小ボタン枠６４と、頁全体を表示する全体表示ボタン枠６６とが用意されている。
【００１９】
設定領域７０には、例えば直線（実線）や一点鎖線，点線，破線などの描画する線の種類を指定するための線種指定枠７１と、例えば黒や赤，なし（色なし）などの描画する線の色を指定するための線色指定枠７２と、例えば１〜５まで１ポイント刻みで描画する線の太さを指定するための線太さ指定枠７３と、例えば矢印や端点なしなど描画する線の端点の形状を指定するための線端点指定枠７４と、線のフチの色を指定するためのフチ線色指定枠７５と、上記各指定枠７１〜７５の設定を確定するための確定ボタン枠７６、設定領域７０の表示と非表示とを切り替える機能ボタン枠７７などが用意されている。
【００２０】
ここで、線太さ指定枠７３は、現在指定されている線の太さ（ポイント数）を表示する線太さ表示部７３ａと、スライド位置によって線の太さのポイント数を指定するためのスライダー７３ｂと、線の太さのポイント数を上げるための＋ボタン枠７３ｃと、線の太さのポイント数を下げるための−ボタン枠７３ｄとが用意されている。スライダー７３ｂによる線の太さの指定は、ペンＰの先端をスライダー７３ｂにタッチし、その状態でペンＰを左右にスライドさせてスライダー７３ｂを移動させることにより行なわれる。本実施形態では、スライダー７３ｂが右に移動するほど線の太さのポイント数が上がり、スライダー７３ｂが左に移動するほど線の太さのポイント数が下がるものとした。また、＋ボタン枠７３ｃによる線の太さの指定は、＋ボタン枠７３ｃをタップすることにより行なわれ、１回タップする毎に線の太さが１ポイントずつ上がる。−ボタン枠７３ｄによる線の太さの指定は、−ボタン枠７３ｄをタップすることにより行なわれ、１回タップする毎に線の太さが１ポイントずつ下がる。
【００２１】
次に、こうして構成された手書き入力装置２０の動作、特に、落書き入力モード時における線の太さを設定する処理について説明する。図３は、線太さ設定処理の一例を示すフローチャートである。このルーチンは、落書き入力モードで設定領域７０が表示されているときに実行される。
【００２２】
線太さ設定処理が実行されると、メインコントローラー３０のＣＰＵ３１は、まず、ペンＰの先端がスライダー７３ｂにタッチされているか否か（ステップＳ１００）、＋ボタン枠７３ｃがタップされたか否か（ステップＳ１１０）、−ボタン枠７３ｄがタップされたか否か（ステップＳ１２０）をそれぞれ判定する。ペンＰがスライダー７３ｂにタッチされていると判定した場合にはスライダー７３ｂの位置座標に応じた線の太さのポイント数を設定し（ステップＳ１３０）、＋ボタン枠７３ｃがタップされたと判定された場合には現在の線の太さのポイント数を１ポイントだけインクリメントし（ステップＳ１４０）、−ボタン枠７３ｄがタップされたと判定された場合には現在の線の太さのポイント数を１ポイントだけデクリメントする（ステップＳ１５０）。そして、現在の線色の設定を入力し（ステップＳ１６０）、設定した線の太さのポイント数に対応する大きさの円形の画像（確認画像）を入力した線色と同一色で描画領域６０の中央位置に表示して（ステップＳ１７０）、本処理を終了する。図４および図５は、スライダー７３ｂを用いて線の太さを変更する様子を示す説明図である。図示するように、ペンＰの先端をスライダー７３ｂにタッチさせて左右にスライドさせると、スライダー７３ｂの位置に連動して円形画像の大きさが変化するようになっている。円形画像の直径は、実際に描画領域６０でペン入力により描画される線の太さと一致するものであり、ユーザーは、描画領域６０に表示されている円形画像を確認することで、描画領域６０に描画される線の太さを直感的に把握しながら、線の太さの設定を行なうことができる。
【００２３】
一方、ステップＳ１００でスライダー７３ｂにタッチされておらず、ステップＳ１１０で＋ボタン枠７３ｃがタップされておらず、ステップＳ１２０で−ボタン枠７３ｄにもタップされていないと判定された場合には、確定ボタン枠７６がタップされたか否か、即ち設定が確定されたか否かを判定し（ステップＳ１８０）、確定ボタン枠７６がタップされていないと判定された場合には、円形画像の表示を維持したまま、本処理を一旦終了し、確定ボタン枠７６がタップされたと判定された場合には、表示している円形画像をフェードアウトさせることにより表示を消去して（ステップＳ１９０）、本処理を終了する。図６に、円形画像が消去される様子を示す。円形画像の消去は、図示するように、画像の透明度を徐々に高くし、最終的に透明度を１００％とすることにより行なう。
【００２４】
ここで、本実施形態の構成要素と本発明の構成要素との対応関係を明らかにする。本実施形態の図３の線太さ設定処理のステップＳ１００〜Ｓ１５０の処理を実行するメインコントローラー３０が本発明の「線太さ設定手段」に相当し、線太さ設定処理のステップＳ１６０，Ｓ１７０の処理を実行するメインコントローラー３０やＬＣＤモジュール４０，ＬＣＤコントローラー４１が「設定確認表示手段」に相当する。
【００２５】
以上説明した本実施形態の手書き入力装置２０によれば、ペン入力により指定された座標のストロークに合わせて描画領域６０に線を描画するものにおいて、設定領域７０で設定中の線の太さ（ポイント数）に応じた大きさの円形画像を描画領域６０に表示し、設定が完了すると、円形画像をフェードアウトさせる。これにより、ユーザーは、描画領域６０に表示されている円形画像を確認することで、描画領域６０に描画される線の太さを直感的に把握しながら、線の太さの設定を行なうことができる。しかも、円形画像は設定中の線色と同一色で表示するから、線色の確認も併せて行なうことができる。
【００２６】
本実施形態では、線の太さの設定が完了したときに描画領域６０に表示している確認画像（円形画像）を透明度を徐々に高くすることによりフェードアウトさせるものとしたが、これに限られるものではなく、例えば、線の太さの設定が完了したときに描画領域６０に表示している確認画像を直ちに消去するものとしてもよい。
【００２７】
本実施形態では、設定中の線の太さに応じた大きさの確認画像として円形画像を用いるものとしたが、これに限られずものではなく、例えば、矩形画像を用いるなど、設定中の線の太さに応じた大きさの画像であれば、如何なる形状の画像を用いるものとしてもよい。
【００２８】
本実施形態では、確認画像を描画領域６０の中央位置に表示するものとしたが、これに限定されるものではなく、描画領域６０の範囲内であれば、如何なる位置に表示するものとしてもよい。
【００２９】
本実施形態では、確認画像を設定中の線色と同一色で表示するものとしたが、これに限定されるものではなく、設定中の線色に拘わらず固定色（例えば、グレー）で表示するものとしてもよい。
【００３０】
なお、本発明は上述した実施形態に何ら限定されることはなく、本発明の技術的範囲に属する限り種々の態様で実施し得ることはいうまでもない。
【符号の説明】
【００３１】
２０  手書き入力装置、２２  電源ボタン、３０  メインコントローラー、３１  ＣＰＵ、３２  ＲＯＭ、３３  ＲＡＭ、３４  フラッシュメモリー、３５  インターフェース（Ｉ／Ｆ）、４０  ＬＣＤモジュール、４１  ＬＣＤコントローラー、４２  タッチパネルモジュール、４３  タッチパネルコントローラー、４４  メモリーカードスロット、４５  メモリーカードコントローラー、５０  手書き入力画面、５１  タイトル表示領域、６０  描画領域、６２  拡大ボタン枠、６４  縮小ボタン枠、６６  全体表示ボタン枠、７０  設定領域、７１  線種指定枠、７２  線色指定枠、７３  線太さ指定枠、７３ａ  ポイント数表示部、７３ｂ  スライダー、７３ｃ  ＋ボタン枠、７３ｄ  −ボタン枠、７４  線端点指定枠、７５  フチ線色指定枠、７６  確定ボタン枠、７７  機能ボタン枠、ＭＣ  メモリーカード。
【図１】
2013246750.tif 000003
【図３】
2013246750.tif 000004
【図２】
2013246750.tif 000005
【図４】
2013246750.tif 000006
【図５】
2013246750.tif 000007
【図６】
2013246750.tif 000008